(57)【要約】【課題】吸水材を保持する保持部材とトレイとの隙間からの水漏れを確実に防止することができる加湿装置を提供する。【解決手段】吸水材２６を保持する支持枠本体２５ａの一部がトレイ蓋２４に形成された開口よりトレイ内へ挿入され、支持枠本体２５ａの外周に突設される環状のリブ２５ｂが、環状の密閉材２７が内周に有する溝部２７ｂにはまり込み、トレイ蓋２４に形成された開口の縁部が、環状の密閉材２７が外周に有する溝部２７ａにはまり込み、支持枠２５とトレイ蓋２４との隙間が密閉されている。【選択図】図４
2007322018.tif 000002
【特許請求の範囲】
【請求項１】
送風機と、水が溜められるトレイと、該トレイに溜められた水を吸収する吸水材と、該吸水材を保持する保持部材と、を備え、前記送風機の駆動により加湿装置内に吸い込まれた空気の少なくとも一部が前記吸水材に導かれるような加湿装置において、
前記保持部材は、前記トレイが有する開口より前記トレイ内へその少なくとも一部が挿入されており、前記保持部材と前記トレイとの隙間が密閉材により密閉されていることを特徴とする加湿装置。
【請求項２】
前記保持部材は外周に環状のリブを有し、前記密閉材は環状であり内周に第一の溝部が形成され外周に第二の溝部が形成されており、前記第一の溝部に前記リブがはまり込み、前記第二の溝部に前記開口の縁部がはまり込んでいることを特徴とする請求項１に記載の加湿装置。
【請求項３】
前記トレイは凹部を有し、該凹部の底部には前記開口が形成され、該凹部の外周側壁と前記保持部材の外周との隙間に環状の前記密閉材が充填されていることを特徴とする請求項１に記載の加湿装置。
【請求項４】
前記保持部材は前記密閉材を覆うような環状のリブを外周に有することを特徴とする請求項３に記載の加湿装置。
【請求項５】
前記保持部材は上面が開口した略箱形状の本体部を有し、前記吸水材は該本体部の開口から該本体部内へ挿入されていることを特徴とする請求項１〜請求項４のいずれかに記載の加湿装置。
【発明の詳細な説明】
【技術分野】
【０００１】
本発明は、加湿装置に関するものである。
【背景技術】
【０００２】
室内の空気を加湿する加湿装置は従来から様々開発されており、例えば、特許文献１には次のような加湿装置が開示されている。
【０００３】
特許文献１に開示された加湿装置は、前面に配された吸気口から室内の空気を取り込んで吹出口から送出させる送風機と、吸気口と送風機との間に配されて吸気口から取り込まれた空気を加湿する加湿部とを備えている。そして、加湿部は水が溜められるトレイを有し、トレイ上面に設けられた開口部に、吸水材を覆って保持する保持枠が挿入される。また、トレイに通風孔を設け、通風孔から取り込まれた空気をトレイ内を介して吸水材に導くようにしている。これにより、加湿量を増加させている。
【特許文献１】特開２００６−７１１１３号公報
【発明の開示】
【発明が解決しようとする課題】
【０００４】
しかし、上記特許文献１に開示された加湿装置では、トレイが軟質樹脂材料で形成される場合、トレイに設けられた開口部が歪み、保持枠とトレイとの隙間が生じ、その隙間から水漏れを起こす危険性があった。
【０００５】
本発明は上記問題点を鑑み、吸水材を保持する保持部材とトレイとの隙間からの水漏れを確実に防止することができる加湿装置を提供することを目的とする。
【課題を解決するための手段】
【０００６】
上記目的を達成するために本発明の加湿装置は、送風機と、水が溜められるトレイと、該トレイに溜められた水を吸収する吸水材と、該吸水材を保持する保持部材と、を備え、前記送風機の駆動により加湿装置内に吸い込まれた空気の少なくとも一部が前記吸水材に導かれるような加湿装置において、
前記保持部材は、前記トレイが有する開口より前記トレイ内へその少なくとも一部が挿入されており、前記保持部材と前記トレイとの隙間が密閉材により密閉されていることを特徴としている。
【０００７】
このような構成によれば、吸水材を保持する保持部材とトレイとの隙間からの水漏れを確実に防止することができる。
【０００８】
また、本発明の加湿装置は、上記構成において、前記保持部材は外周に環状のリブを有し、前記密閉材は環状であり内周に第一の溝部が形成され外周に第二の溝部が形成されており、前記第一の溝部に前記リブがはまり込み、前記第二の溝部に前記開口の縁部がはまり込んでいることを特徴としている。
【０００９】
また、本発明の加湿装置は、上記構成において、前記トレイは凹部を有し、該凹部の底部には前記開口が形成され、該凹部の外周側壁と前記保持部材の外周との隙間に環状の前記密閉材が充填されていることを特徴としている。
【００１０】
該構成においては、前記保持部材は前記密閉材を覆うような環状のリブを外周に有することが望ましい。このような構成によれば、密閉材が取り付けられた保持部材をトレイの開口からトレイ内へ挿入する際、密閉材がトレイが有する凹部の外周よりも外側のトレイの部分に密閉材が接触し、密閉材が上方向へずれようとするのをリブにより抑えることができ、メンテナンス等で取り外した保持部材をトレイ内に挿入する際の利便性が向上する。
【００１１】
また、本発明の加湿装置は、以上の各構成において、前記保持部材は上面が開口した略箱形状の本体部を有し、前記吸水材は該本体部の開口から該本体部内へ挿入されていることが望ましい。このような構成によれば、吸水材の脱着が容易であり、吸水材のメンテナンスが容易となる。
【発明の効果】
【００１２】
本発明の加湿装置によれば、吸水材を保持する保持部材とトレイとの隙間からの水漏れを確実に防止することができる。
【発明を実施するための最良の形態】
【００１３】
以下、本発明の実施形態について図面を参照して説明する。図１は、一実施形態の空気清浄機を示す外観斜視図である。空気清浄機１はベース１１の支持により本体部１０が立設されている。本体部１０の前面は前面パネル１２により覆われている。前面パネル１２には室内の空気を取り込む吸気口１３が設けられる。本体部１０の上部にはユーザが操作を行うための操作パネル１４が設けられる。
【００１４】
図２は、空気清浄機１の概略側面断面図である（ただし、前面パネル１２は不図示）。なお、図２中の矢印は、送風時の空気の流れを示している。本体部１０の後部には軸方向に吸気して周方向に排気する送風機３３が設けられる。送風機３３は吸気側が吸気口１３に面して配され、通気口２８ａを有する通気パネル２８により前面が覆われる。通気パネル２８によって本体部１０の後部には上下に延びる通風路３１が形成される。通風路３１には上方に向けて開口する吹出口２９が設けられる。また、通風路３１は、本体部１０の前面上部に斜め上方向に開口する吹出口３０につながっている。これにより、送風機３３の排気が吹出口２９、３０に導かれる。
【００１５】
前面パネル１２と通気パネル２８との間には空気清浄用フィルターユニット２０および加湿部２１が配される。吸気口１３に面して配される空気清浄用フィルターユニット２０は、空気清浄機に組み込むものとして設計されている。
【００１６】
空気清浄用フィルターユニット２０と通気パネル２８との間には所定幅の空間部３２が形成されている。空間部３２を設けることにより空気清浄用フィルターユニット２０を通過した空気が通気口２８ａにスムーズに流入し、圧力損失および騒音を低減できるようになっている。また、加湿部２１は空間部３２の下部に配置されている。
【００１７】
ここで、図３に加湿部２１の上面図を、図４に加湿部２１の正面断面図を、図５に加湿部２１の側面断面図を示す。なお、水タンクは図示していない。加湿部２１は、トレイ本体２３およびトレイ蓋２４からなるトレイと、支持枠２５と、吸水材２６と、密閉材２７と、不図示の水タンクとから構成される。
【００１８】
トレイ本体２３は、右側部の前後方向および後部の左右方向に形成され水が溜められる窪み部２３ａを有する。
【００１９】
トレイ蓋２４は、トレイ本体２３が有する窪み部２３ａを覆うような形状であり、左右方向に伸びる略長方形状の開口を有する。また、トレイ蓋２４の端部には、不図示の水タンクが連結される給水口２４ｂが設けられる。
【００２０】
支持枠２５は、略直方体状で上面が開口した箱形状の支持枠本体２５ａを有する。支持枠本体２５ａ下部の外周には、内周および外周が略四角形状の環状のリブ２５ｂが突設される。また、支持枠本体２５ａの正面の上部には略四角形状の開口２５ｃが左右方向に複数形成され、支持枠本体２５ａの背面の上部には略四角形状の開口２５ｄが左右方向に複数形成される。また、支持枠本体２５ａの底面近傍の正面、底面および底面近傍の背面にかけて開口する開口２５ｅが左右方向に複数形成される。
【００２１】
密閉材２７は、ゴム等で構成され、内周および外周が略四角形状の環状であり、外周に溝部２７ａ、内周に溝部２７ｂを有する。
【００２２】
そして、トレイ本体２３が有する窪み部２３ａを覆うようにトレイ本体２３の上部にトレイ蓋２４が取り付けられる。そして、支持枠２５が有する支持枠本体２５ａが、トレイ蓋２４が有する開口からトレイ内へ支持枠本体２５ａの底面が窪み部２３ａの底面に接触するまで挿入されており、支持枠本体２５ａに設けられるリブ２５ｂはトレイ蓋２４が有する開口内に位置する。また、支持枠本体２５ａが有する各開口２５ｃ、２５ｄは、トレイより上部に位置する。
【００２３】
そして、密閉材２７が有する外周の溝部２７ａにトレイ蓋２４が有する開口の縁部２４ａがはめ込まれ、密閉材２７が有する内周の溝部２７ｂにリブ２５ｂがはめ込まれるよう、密閉材２７がトレイ蓋２４および支持枠２５に取り付けられている。
【００２４】
また、前後方向にジグザグに折り曲げられた屏風状に形成されている吸水材２６が、支持枠本体２５ａの上面の開口より支持枠本体２５ａ内部へ支持枠本体２５ａの底面に接触するまで挿入されている。そして、吸水材２６の一部は支持枠本体２５ａより上部に突出する。また、支持枠本体２５ａが有する各開口２５ｃ、各開口２５ｄおよび各開口２５ｅから吸水材２６が露出する。
【００２５】
また、不図示の水タンクがトレイ蓋２４が有する給水口２４ｂに連結される。水タンクを給水口２４ｂに連結すると、トレイ本体２３が有する不図示の弁押さえが水タンクが有する止水弁を押し、水タンクに貯水された水がトレイ本体２３に供給され、トレイ本体２３が有する窪み部２３ａに水が溜まる。そして、吸水材２６は、窪み部２３ａに溜められた水を支持枠本体２５ａが有する各開口２５ｅを介して吸い上げ保水する。
【００２６】
上記構成の加湿部２１は、図２のように、支持枠本体２５ａの正面側が前面パネル１２に対向するよう本体部１０内部に配置される。また、水タンクは本体部１０の側部に立設される（図１の水タンク２２を参照）。
【００２７】
以上のような構成の空気清浄機１において、送風機３３が駆動されると、前面パネル１２が有する吸気口１３から本体部１０内へ室内の空気が吸い込まれる。吸気口１３から吸い込まれた空気は空気清浄用フィルターユニット２０を通過することで塵埃を除去され、通気口２８ａを介して通風路３１に流入する。
【００２８】
空気清浄用フィルターユニット２０の下方を通過した空気の一部は、吸水材２６の支持枠本体２５ａより上部に突出した部分を通過し加湿され、通気口２８ａを介して通風路３１に流入する。
【００２９】
また、空気清浄用フィルターユニット２０の下方を通過した空気の一部は、支持枠本体２５ａが有する各開口２５ｃに入り込み、一部は吸水材２６を通過して加湿され、吸水材２６の支持枠本体２５ａから上部に突出した部分の背面から流出し通気口２８ａを介して通風路３１に流入し、また一部は吸水材２６を通過して加湿され、支持枠本体２５ａが有する各開口２５ｄから流出し通気口２８ａを介して通風路３１に流入する。
【００３０】
そして、通風路３１を流通する加湿された空気は吹出口２９、３０から室内へ送出され、室内の空気が加湿される。
【００３１】
本実施形態によれば、支持枠本体２５ａが有するリブ２５ｂと、トレイ蓋２４が有する開口の縁部２７ａとの隙間が密閉材２７によって密閉されるので、支持枠とトレイとの隙間からの水漏れを確実に防止することができる。
【００３２】
また、吸水材２６は支持枠本体２５ａ上面の開口から支持枠本体２５ａ内に挿入されているので、吸水材の脱着が容易であり、吸水材のメンテナンスが容易となる。
【００３３】
また、加湿部は、前述した加湿部２１とは別の形態をとってもよい。本形態の加湿部について以下説明する。
【００３４】
ここで、前述した加湿部２１とは別形態の加湿部２１’の上面図を図６に、正面断面図を図７に、側面断面図を図８にそれぞれ示す。なお、水タンクは図示していない。加湿部２１’は、トレイ本体２３およびトレイ蓋３４からなるトレイと、支持枠３５と、吸水材２６と、密閉材３６と、不図示の水タンクとから構成される。
【００３５】
トレイ本体２３は、前述したように右側部の前後方向および後部の左右方向に形成され水が溜められる窪み部２３ａを有する。
【００３６】
トレイ蓋３４は、トレイ本体２３が有する窪み部２３ａを覆うような形状であり、上面視で左右方向に伸びる略長方形状に形成され底部に左右方向に伸びる略長方形状の開口３４ｂが形成されるような凹部３４ａを有する。また、トレイ蓋３４の端部には、不図示の水タンクが連結される給水口３４ｃが設けられる。
【００３７】
支持枠３５は、略直方体状で上面が開口した箱形状の支持枠本体３５ａを有する。支持枠本体３５ａ下部の外周には、内周および外周が略四角形状の環状のリブ３５ｂが突設される。また、支持枠本体３５ａの正面の上部には略四角形状の開口３５ｃが左右方向に複数形成され、支持枠本体３５ａの背面の上部には略四角形状の開口３５ｄが左右方向に複数形成される。また、支持枠本体３５ａの底面近傍の正面、底面および底面近傍の背面にかけて開口する開口３５ｅが左右方向に複数形成される。
【００３８】
また、密閉材３６は、ＮＢＲ、ＥＰゴム等で構成され、環状をしている。
【００３９】
そして、トレイ本体２３が有する窪み部２３ａを覆うようにトレイ本体２３の上部にトレイ蓋３４が取り付けられる。また、支持枠本体３５ａの外周に当接し、リブ３５ｂの下部に当接するよう密閉材３６が支持枠３５に取り付けられる。そして、トレイ蓋３４が有する凹部３４ａの開口３４ｂからトレイ内へ支持枠本体３５ａが挿入されてゆき、このとき密閉材３６の外周は凹部３４ａの外周よりも若干外側に位置するので、密閉材３６の外周近傍部が凹部３４ａの外周より若干外側のトレイ蓋３４の部分に接触する。ここで、さらに支持枠本体３５ａがトレイ内へ挿入されると、密閉材３６が弾性変形し凹部３４ａの外周側壁と支持枠本体３５ａの外周との隙間に充填される。このとき、支持枠本体３５ａの底面はトレイ本体２３が有する窪み部２３ａの底面に接触する。また、リブ３５ｂの外周は凹部３４ａの外周よりも外側に位置し、リブ３５ｂの下部が凹部３４ａの外周より外側のトレイ蓋３４の部分に当接する。
【００４０】
また、前後方向にジグザグに折り曲げられた屏風状に形成されている吸水材２６が、支持枠本体３５ａの上面の開口より支持枠本体３５ａ内部へ支持枠本体３５ａの底面に接触するまで挿入される。このとき、吸水材２６の一部は支持枠本体３５ａより上部に突出する。また、支持枠本体３５ａが有する各開口３５ｃ、各開口３５ｄおよび各開口３５ｅから吸水材２６が露出する。
【００４１】
また、不図示の水タンクがトレイ蓋３４が有する給水口３４ｃに連結される。水タンクを給水口３４ｃに連結すると、トレイ本体２３が有する不図示の弁押さえが水タンクが有する止水弁を押し、水タンクに貯水された水がトレイ本体２３に供給され、トレイ本体２３が有する窪み部２３ａに水が溜まる。そして、吸水材２６は、窪み部２３ａに溜められた水を支持枠本体３５ａが有する各開口３５ｅを介して吸い上げ保水する。
【００４２】
上記構成の加湿部２１’は、前述した加湿部２１と同様に空間部３２（図２参照）の下部に、支持枠本体３５ａの正面側が前面パネル１２に対向するよう本体部１０内部に配置される。また、水タンクは本体部１０の側部に立設される（図１の水タンク２２を参照）。
【００４３】
以上のような構成の空気清浄機１において、送風機３３が駆動されると、前面パネル１２が有する吸気口１３から本体部１０内へ室内の空気が吸い込まれる。吸気口１３から吸い込まれた空気は空気清浄用フィルターユニット２０を通過することで塵埃を除去され、通気口２８ａを介して通風路３１に流入する。
【００４４】
空気清浄用フィルターユニット２０の下方を通過した空気の一部は、吸水材２６の支持枠本体３５ａより上部に突出した部分を通過し加湿され、通気口２８ａを介して通風路３１に流入する。
【００４５】
また、空気清浄用フィルターユニット２０の下方を通過した空気の一部は、支持枠本体３５ａが有する各開口３５ｃに入り込み、一部は吸水材２６を通過して加湿され、吸水材２６の支持枠本体３５ａから上部に突出した部分の背面から流出し通気口２８ａを介して通風路３１に流入し、また一部は吸水材２６を通過して加湿され、支持枠本体３５ａが有する各開口３５ｄから流出し通気口２８ａを介して通風路３１に流入する。
【００４６】
そして、通風路３１を流通する加湿された空気は吹出口２９、３０から室内へ送出され、室内の空気が加湿される。
【００４７】
本実施形態によれば、支持枠本体３５ａの外周と、トレイ蓋３４が有する凹部３４ａの外周側壁との隙間が密閉材３６によって密閉されるので、支持枠とトレイとの隙間からの水漏れを確実に防止することができる。
【００４８】
また、支持枠本体３５ａにリブ３５ｂを設けることによって、支持枠本体３５ａをトレイ内に挿入時に密閉材３６の外周近傍部が凹部３４ａの外周より若干外側のトレイ蓋３４の部分に接触し、さらに支持枠本体３５ａをトレイ内に挿入したときに密閉材３６が上方にずれようとするのを抑えることができ、メンテナンス等で取り外した支持枠をトレイ内に挿入する際の利便性が向上する。
【００４９】
また、吸水材２６は支持枠本体３５ａ上面の開口から支持枠本体３５ａ内に挿入されているので、吸水材の脱着が容易であり、吸水材のメンテナンスが容易となる。
【図面の簡単な説明】
【００５０】
【図１】は、本発明に係る空気清浄機の外観斜視図である。
【図２】は、本発明に係る空気清浄機の概略側面断面図である。
【図３】は、本発明に係る空気清浄機が有する加湿部の一実施形態の上面図である。
【図４】は、本発明に係る空気清浄機が有する加湿部の一実施形態の正面断面図である。
【図５】は、本発明に係る空気清浄機が有する加湿部の一実施形態の側面断面図である。
【図６】は、他実施形態の加湿部の上面図である。
【図７】は、他実施形態の加湿部の正面断面図である。
【図８】は、他実施形態の加湿部の側面断面図である。
【符号の説明】
【００５１】
１    空気清浄機
１０    本体部
１１    ベース
１２    前面パネル
１３    吸気口
１４    操作パネル
２０    空気清浄用フィルターユニット
２１、２１’    加湿部
２２    水タンク
２３    トレイ本体
２４    トレイ蓋
２５    支持枠
２６    吸水材
２７    密閉材
２８    通気パネル
２９、３０    吹出口
３１    通風路
３２    空間部
３３    送風機
３４    トレイ蓋
３５    支持枠
３６    密閉材
【図１】
2007322018.tif 000003
【図２】
2007322018.tif 000004
【図３】
2007322018.tif 000005
【図４】
2007322018.tif 000006
【図５】
2007322018.tif 000007
【図６】
2007322018.tif 000008
【図７】
2007322018.tif 000009
【図８】
2007322018.tif 000010